(57)【特許請求の範囲】
【請求項１】
矩形状からなる本体布の左右何れか一辺の外周縁と、上辺の外周縁とに複数個のちち輪を備えるのぼり旗であって、端部に前記ちち輪を係止させる係止具を備える逆Ｌ字形状の支持用ポールに、複数個の前記ちち輪を挿通させると共に、上辺端部に備えるちち輪を前記係止具に係止させて固定するものにおいて、前記本体布は、前記ちち輪を取り付けるための貫通孔を備え、前記ちち輪は、前記支持用ポールの外径よりも大きい内径を有する開口した環状体で構成されていると共に、前記本体布を抜き差し可能な切欠きを備え、前記切欠きを介して前記ちち輪を前記貫通孔に着脱自在に取り付けてあることを特徴とするのぼり旗。
【請求項２】
切り欠きを、ちち輪の径方向と軸方向との少なくとも何れか一方向において傾斜させて設けてあることを特徴とする請求項１に記載ののぼり旗。
【請求項３】
係止具は、弾性部材をヘアピン形状に屈曲形成してなると共に、係止具に係止させるちち輪の外周形状を、ちち輪の開口を水平にした状態における垂直断面において、一面側から他面側に向かって傾斜してなる傾斜形状としてあることを特徴とする請求項１又は２に記載ののぼり旗。
【請求項４】
ちち輪は、重量が１２ｇ〜１８ｇのプラスチック樹脂素材で形成されていることを特徴とする請求項１〜３の何れか１項に記載ののぼり旗。
【請求項５】
請求項１〜４の何れか１項に記載ののぼり旗を折り畳んでなるのぼり旗の折畳み構造体であって、複数のちち輪が、支持用ポールに対する挿通順に、最初のちち輪から最後のちち輪までこの順番に並んだ状態で折り畳まれていることを特徴とするのぼり旗の折畳み構造体。
【発明の詳細な説明】
【技術分野】
【０００１】
本発明は、容易且つ迅速に設置が可能なのぼり旗及びのぼり旗を折り畳んでなるのぼり旗の折り畳み構造体に関する。
【背景技術】
【０００２】
コンビニエンスストアやドラッグストア、量販店などの各種店舗の店頭や各種イベント会場などには、顧客や来場者に向けて多種多様な告知を行うためののぼり旗が設置されている。
このような、のぼり旗に関する従来技術として、例えば、下記特許文献１がある。
【先行技術文献】
【特許文献】
【０００３】
【特許文献１】特開２０１５−１５２８４９号公報
【発明の概要】
【発明が解決しようとする課題】
【０００４】
上記特許文献１は、のぼり旗に関するもので、文字部２１と光を反射する反射材を含む反射部２２とを備えることで、夜間でも広告等の存在を認識できるという新規なのぼり旗を提供できるメリットがある。
しかしながら、上記特許文献１に示すような従来ののぼり旗は、図９に示すように、支持用ポールにのぼり旗を取り付ける前において、ちち輪４の貫通孔４ａ（開口）が閉じた扁平な状態にあるものが一般的であった。よって、支持用ポールにのぼり旗を取り付ける際、複数個あるちち輪４の貫通孔４ａ（開口）を逐一手で広げる必要があり、支持用ポールにのぼり旗２を設置するための作業が煩雑で、時間を要するという問題があった。加えて、コンビニエンスストアなどでは、告知したい内容が変わることによって、新しいのぼり旗に付け替える必要が頻繁に生じるため、その都度時間をとられるという問題があった。
また、図９に示すような、のぼり旗を折り畳んでなる従来ののぼり旗の折り畳み構造体５においては、支持用ポールに挿通させる複数のちち輪４が、支持用ポールに対する挿通順に並んでおらず、ばらばらに配置された状態で折り畳まれているものが一般的であった。よって、支持用ポールにのぼり旗２を取り付けるには、のぼり旗の折り畳み構造体を一度広げて、ちち輪４の挿通順を確認する必要があった。従って、支持用ポールに最初に挿通させるちち輪を確認するのに時間を要することで、のぼり旗２の設置作業に時間がかかるだけでなく、広げることで地面にのぼり旗が接触し易く、のぼり旗２が汚れたり、濡れたりするという問題があった。このような問題は、のぼり旗２の全長が長ければ長いほど深刻化するものであった。
【０００５】
そこで本発明は上記従来ののぼり旗における問題を解消し、簡易且つ迅速に設置が可能なのぼり旗及びのぼり旗を折り畳んでなるのぼり旗の折り畳み構造体の提供を課題とする。
【課題を解決するための手段】
【０００６】
上記課題を達成するため本発明ののぼり旗は、矩形状からなる本体布の左右何れか一辺の外周縁と、上辺の外周縁とに複数個のちち輪を備えるのぼり旗であって、端部に前記ちち輪を係止させる係止具を備える逆Ｌ字形状の支持用ポールに、複数個の前記ちち輪を挿通させると共に、上辺端部に備えるちち輪を前記係止具に係止させて固定するものにおいて、前記本体布は、前記ちち輪を取り付けるための貫通孔を備え、前記ちち輪は、前記支持用ポールの外径よりも大きい内径を有する開口した環状体で構成されていると共に、前記本体布を抜き差し可能な切欠きを備え、前記切欠きを介して前記ちち輪を前記貫通孔に着脱自在に取り付けてあることを第１の特徴としている。
また、本発明ののぼり旗は、上記第１の特徴に加えて、切り欠きを、ちち輪の径方向と軸方向との少なくとも何れか一方向において傾斜させて設けてあることを第２の特徴としている。
また、本発明ののぼり旗は、上記第１又は２の特徴に加えて、係止具は、弾性部材をヘアピン形状に屈曲形成してなると共に、係止具に係止させるちち輪の外周形状を、ちち輪の開口を水平にした状態における垂直断面において、一面側から他面側に向かって傾斜してなる傾斜形状としてあることを第３の特徴としている。
また、本発明ののぼり旗は、上記第１〜第３の何れか１つの特徴に加えて、ちち輪は、重量が１２ｇ〜１８ｇのプラスチック樹脂素材で形成されていることを第４の特徴としている。
また、本発明ののぼり旗の折り畳み構造体は、請求項１〜４の何れか１項に記載ののぼり旗を折り畳んでなるのぼり旗の折畳み構造体であって、複数のちち輪が、支持用ポールに対する挿通順に、最初のちち輪から最後のちち輪までこの順番に並んだ状態で折り畳まれていることを第５の特徴としている。
【発明の効果】
【０００７】
請求項１に記載ののぼり旗によれば、ちち輪を支持用ポールの外径よりも大きい内径を有する開口した環状体で構成することで、ちち輪を支持用ポールに挿通させる際に、ちち輪の開口を手で広げる必要がなく、ちち輪をそのままの状態で支持用ポールに挿通させることができる。よって、簡易且つ迅速に設置が可能なのぼり旗とすることができる。
【０００８】
また、本体布とちち輪とを別工程で製造した後に、ちち輪を容易かつ迅速に本体布に取り付けることができる。よって、製造効率や製造コストの省コスト化が可能なのぼり旗とすることができる。また、損傷などによりちち輪を交換する必要が生じた場合でも、新しいのぼり旗を使用するのではなく、ちち輪だけを交換することができ、経済的なのぼり旗とすることができる。
【０００９】
また、請求項２に記載ののぼり旗によれば、請求項１に記載の構成による作用効果に加えて、ちち輪から本体布から取れ難い構造とすることができる。よって、設置状態を良好に維持可能なのぼり旗とすることができる。
【００１０】
また、請求項３に記載ののぼり旗によれば、請求項１又は２に記載の構成による作用効果に加えて、係止具にちち輪を迅速に係止させることができ、一段と簡易且つ迅速に設置が可能なのぼり旗とすることができる。
【００１１】
また、請求項４に記載ののぼり旗によれば、請求項１〜３の何れか１つに記載の構成による作用効果に加えて、のぼり旗を支持用ポールに取り付けた状態において、のぼり旗をまくり上げるような風が吹いた場合でも、のぼり旗がまくり上がることを効果的に防止することができる。
【００１２】
また、請求項５に記載ののぼり旗の折り畳み構造体によれば、請求項１〜４の何れか１つに記載の構成による作用効果に加えて、複数のちち輪が、支持用ポールに対する挿通順に、最初のちち輪から最後のちち輪までこの順番に並んだ状態で折り畳まれていることで、折り畳み状態から即座に、そして短時間で支持用ポールに取り付け可能なのぼり旗の折り畳み構造体とすることができる。
【図面の簡単な説明】
【００１３】
【図１】本発明の実施形態に係るのぼり旗を示す図で、（ａ）は全体斜視図、（ｂ）は支持用ポールに取り付けた状態を示す全体斜視図である。
【図２】本発明の実施形態に係るのぼり旗を示す図で、（ａ）は図１（ａ）の部分拡大図、（ｂ）は図１（ａ）を平面方向から見た要部を示す図、（ｃ）は（ｂ）のＡ−Ａ線方向における断面図の要部を示す図、（ｄ）はちち輪の径方向における垂直断面図である。
【図３】本発明の実施形態に係るのぼり旗を示す図で、（ａ）は図１（ａ）の部分拡大図、（ｂ）は図１（ｂ）の部分拡大図である。
【図４】本発明の実施形態に係るのぼり旗を示す図で、（ａ）は図１（ａ）の部分拡大図、（ｂ）は図１（ｂ）の部分拡大図、（ｃ）は係止具に係止させるちち輪の垂直断面図である。
【図５】本発明の実施形態に係るのぼり旗の折り畳み構造体を示す図で、（ａ）は包装袋に入った状態ののぼり旗の折り畳み構造体を示す斜視図、（ｂ）は折り畳み構造体を形成する状態を模式的に示す図である。
【図６】本発明の実施形態に係るのぼり旗を折り畳んでのぼり旗の折畳み構造体を形成する状態を模式的に示す図である。
【図７】本発明の実施形態に係るのぼり旗を折り畳んでのぼり旗の折畳み構造体を形成する状態を模式的に示す図である。
【図８】本発明の実施形態に係るのぼり旗及びのぼり旗の折り畳み構造体を示す図で、（ａ）はのぼり旗の折り畳み構造体の状態にあるのぼり旗を支持用ポールに取り付ける状態を模式的に示す図、（ｂ）はのぼり旗を支持用ポールに取り付ける状態を模式的に示す図である。
【図９】従来ののぼり旗とのぼり旗の折り畳み構造体とを示す図で、（ａ）はのぼり旗の要部を示す図、（ｂ）はのぼり旗の折り畳み構造体を示す斜視図、（ｃ）はのぼり旗の折り畳み構造体の要部を示す斜視図である。
【発明を実施するための形態】
【００１４】
以下、図面を参照して、本発明の実施形態に係るのぼり旗及びのぼり旗の折り畳み構造体について説明する。
【００１５】
図１〜図８を参照して本発明の実施形態に係るのぼり旗１は、コンビニエンスストアやドラッグストア、量販店などの各種店舗の店頭や各種イベント会場などで告知用ツールとして設置されるものである。
具体的には、図１（ｂ）に示すように、土台（図示しない。）上の支持用ポール３０に取り付けられて設置されるものである。より具体的には、伸縮機構を備える伸縮具３１ａによって所定の長さ位置で固定可能な縦用ポール３１と、縦用ポール３１の上端に連結具３２ａを嵌合させて固定される横用ポール３２とからなる、逆Ｌ字形状の支持用ポール３０に取り付けられて設置されるものである。
また、設置前においては、図５（ａ）に示すように、のぼり旗１を折り畳んでなるのぼり旗の折り畳み構造体４０として所定の包装用袋５０に収納されているものである。
【００１６】
こののぼり旗１は、図１〜図４に示すように、本体布１０と、ちち輪２０とで構成される。
【００１７】
前記本体布１０は、のぼり旗１の骨格を構成すると共に、各種宣伝用の装飾が表面に施される（印刷される）布である。
本実施形態においては、図１に示すように、長方形状の布で本体布１０を形成する構成としてある。
なお、本体布１０としては、ポリエステル製の布など、のぼり旗の本体布として汎用されている各種素材を用いることができる。
【００１８】
また、図１に示すように、本体布１０の左辺の外周縁と、上辺の外周縁とに複数の貫通孔１０ａを設けてある。より具体的には、図１に示すように、左辺の下端から上端までに所定の間隔を空けて複数個（本実施形態においては、５個）の円形の貫通孔１０ａを設けてある。また、上辺の左端から右端までに所定の間隔を空けて複数個（本実施形態においては、３個）の円形の貫通孔１０ａを設けてある。なお、本実施形態においては、左辺の上端に設ける貫通孔１０ａと、上辺の左端に設ける貫通孔１０ａとを兼用の貫通孔としてある。勿論、貫通孔１０ａの形状、大きさ、配置位置は本実施形態のものに限るものではなく、適宜変更可能である。
【００１９】
また、図１〜図４に示すように、本体布１０において、貫通孔１０ａを設けている位置には、中央に円形の貫通孔１１ａを備える矩形状の補強布１１を設けてある。具体的には、中央に貫通孔１０ａと同一形状、同一大きさの貫通孔１１ａを備える補強布１１を、本体布１０を挟む状態で表裏に縫い付けてある。勿論、貫通孔１１ａの形状、大きさ、配置位置は本実施形態のものに限るものではなく、貫通孔１０ａの形状、大きさ、配置位置に合わせて適宜変更可能である。
なお、補強布１１としては、例えば、本体布１０よりも厚みが大きいポリエステル製の布など、各種素材を用いることができる。
また、補強布１１の貫通孔１１ａと本体布１０の貫通孔１０ａとは、例えば、本体布１０の所定位置に補強布１１を縫い付けた後に、型を用いて打ち抜き加工を行うことで一体的に形成することができる。
【００２０】
更に、本実施形態においては、図１に簡略化して示すように、本体布１０の左辺に取り付けるちち輪２０の大きさよりも、本体布１０の上辺に取り付けるちち輪２０の大きさを小さくする構成としてあることから、本体布１０の左辺に設ける貫通孔１０ａ、１１ａの大きさよりも、本体布１０の上辺に設ける貫通孔１０ａ、１１ａの大きさを小さいものとする構成としてある。勿論、このような構成に限るものではなく、本体布１０に設ける全ての貫通孔１０ａ、１１ａの大きさを同じ大きさとする構成としてもよい。
また、本実施形態においては、本体布１０の左辺の外周縁と上辺の外周縁とに貫通孔１０ａ、１１ａを設ける構成としたが、必ずしもこのような構成に限るものではなく、本体布１０の右辺の外周縁と上辺の外周縁とに貫通孔１０ａ、１１ａを設ける構成としてもよい。
更に、本実施形態においては、貫通孔１０ａ、１１ａを円形とする構成としたが、必ずしもこのような構成に限るものではなく、四角形など、他の形状とする構成としてもよい。
【００２１】
前記ちち輪２０は、本体布１０を支持用ポール３０に取り付けるための部材となるものである。
本実施形態においては、ちち輪２０として、外形及び開口の形状がともに円形で所定の厚みを有する略ドーナツ形状のちち輪とする構成としてある。つまり、本発明においては、ちち輪２０の構成として、恒常的に開口した状態にある環状体でちち輪を形成する構成としてある。なお、ちち輪２０の開口の内径は、支持用ポール３０の外形よりも大きいことが必要である。好適には、支持用ポール３０の外形とちち輪２０の開口との間に４ｍｍ程度の隙間が空く大きさとすることが望ましい。具体的には、本実施形態においては図１（ｂ）に簡略化して示すように、支持用ポール３０のなかで太さが最も太い部分が伸縮具３１ａであることから、伸縮具３１ａの外形とちち輪２０の開口との間に４ｍｍ程度の隙間が空く大きさとすることが望ましい。つまり、支持用ポール３０の外形のうち、外径が最も太い部分と開口との間に４ｍｍ程度の隙間が空く大きさとすることが望ましい。
また、本実施形態においては、図１（ｂ）に簡略化して示すように、支持用ポール３０の縦用ポール３１の外径よりも横用ポール３２の外径が小さい構成としてあることから、本体布１０の左辺に取り付けるちち輪２０の大きさよりも、本体１０の上辺に取り付けるちち輪２０の大きさを小さくする構成としてある。勿論、このような構成に限るものではなく、全てのちち輪２０の大きさを同じ大きさとする構成としてもよい。
【００２２】
また、図２に示すように、ちち輪２０の所定位置には、本体布１０を抜き差し可能な切り直線状の切り欠き２１を設けてある。そして、切り欠き２１から本体布１０を差し入れ、貫通孔１０ａ、１１ａにちち輪２０を挿通させることで、ちち輪２０を本体布１０に着脱自在に取り付けてある。
また、本実施形態においては、切り欠き２１を傾斜させて設けてある。具体的には、図２（ｃ）に二点鎖線で示すちち輪２０の軸方向に対して傾斜させて切り欠き２１を設けてある。
なお、切り欠き２１を設ける位置、傾斜角度は本実施形態のものに限るものではなく、適宜変更可能である。例えば、本実施形態の構成に替えて或いは加えて、ちち輪２０の径方向に傾斜させて切り欠き２１を設けるような構成としてもよい。また、切り欠き２１の形状は、必ずしも直線状である必要はなく、例えば、湾曲状など、他の形状としてもよい。
但し、何れの場合においても、切り欠き２１は、本体布１０を抜き差し可能な構成とすることが必要である。具体的には、本実施形態においては図２（ｃ）に示すように、切り欠き２１の構成として、恒常的に間隙が空いた状態にある切り欠きとし、切り欠き２１の間隙の長さ（幅）を、本体布１０と補強布１１との厚みを合わせた総厚みよりもやや大きいものとしてある。勿論、このような構成に限らず、弾性部材（弾性変形可能な部材）でちち輪２０を形成する場合においては、通常時には切り欠き２１部分が閉じており、本体布１０を抜き差しする時にだけ、手を使って、本体布１０と補強布１１との厚みを合わせた総厚みよりもやや大きい間隙を空けることができるような構成としてもよい。
【００２３】
また、本実施形態においては、図３に示すように、本体布１０の左辺の上端と、上辺の左端とに兼用させて設ける貫通孔１０ａ、１１ａに限り、二つのちち輪２０を取り付け、一方のちち輪２０（大きい方のちち輪２０）を縦用ポール３１に挿通させ、他方のちち輪２０（小さい方のちち輪２０）を横用ポール３２に挿通させる構成としてある。このような構成とすることで、図３（ｂ）に示すように、支持用ポール３０にのぼり旗１を取り付けた状態において、のぼり旗１をたるみなく、張りのある状態で取り付けることができる。
【００２４】
更に、図４に示すように、本実施形態においては、弾性部材をヘアピン形状に屈曲形成してなる係止具３２ｂ（本実施形態においては、上側挟持辺Ｈ１の先端部が弾性力で下側挟持辺Ｈ２に向けて付勢される係止具３２ｂ）に係止させるちち輪２０に限り、ちち輪２０の外周形状を、図４（ｃ）に示すように、ちち輪２０の開口を水平にした状態における垂直断面において、一面側から他面側に向かって傾斜する直線状の傾斜面２２を備える傾斜形状としてある。より具体的には図４（ｃ）に示すように、ちち輪２０の一面側から他面側に向かって、ちち輪２０の厚みの中央で交差する一対の直線状の傾斜面２２を備える傾斜形状としてある。
なお、本実施形態においては、ちち輪２０の外周形状を、ちち輪２０の厚みの中央で交差する一対の直線状の傾斜面２２を備える傾斜形状とする構成としたが、必ずしもこのような構成に限るものではない。例えば、ちち輪２０の外周形状を、一面側から他面側まで傾斜した１つの直線状の傾斜面を備える傾斜形状とする構成としてもよい。
また、傾斜面は直線状に限るものではなく、適宜変更可能である。例えば、湾曲した傾斜面とする構成としてもよい。但し、この場合は、一面側から他面側に向かって凹状に湾曲した傾斜面とすることが望ましい。
加えて、係止具３２ｂに係止させて固定するちち輪２０の形状は、円形に限るものではなく、適宜変更可能である。例えば、逆三角形、四角形、正六角形、正八角形など、係止具３２ｂの下側挟持辺Ｈ２と接する面が平坦面なる多角形とすることができる。但し、多角形とする場合、好適には、下側挟持辺Ｈ２と直交する方向における接触面の長さが短い正六角形、正八角形とすることが望ましい。このような構成とすることで、係止具３２ｂの構成が本実施形態の構成のようなものではなく、図４（ｂ）に示す挿入口Ｓが開口したヘアピン形状で、且つ上側挟持辺Ｈ１と下側挟持片Ｈ２とでちち輪２０を挟持しない構成であった場合でも、ちち輪２０にブレが生じ難い構成とすることができる。
【００２５】
なお、ちち輪２０は、プラスチックなどの樹脂素材や金属、ゴムなど、一定の重量（ちち輪２０が支持用ポール３０をつたって自重で落下可能な重量）を有するものであれば、各種素材を用いることができる。但し、支持用ポール３０へ挿通させる際の利便性を考慮すれば、好適には、プラスチックなどの摩擦係数が小さい樹脂素材を用いることが望ましい。更に好適には、重量が１２ｇ〜１８ｇのプラスチック樹脂素材で形成することが望ましい。
また、ちち輪２０の外形や開口形状も円形に限るものではなく、適宜変更可能である。例えば、外形や開口形状を四角形や三角形などの多角形とすることも可能である。但し、少なくとも、開口形状については、支持用ポール３０の外径（外径に大小がある場合には、最も大きい外径）よりも大きい内径を有する開口とすることが必要である。
更に、図２（ｃ）に示すちち輪２０の厚みＴも本実施形態のものに限るものではなく、適宜変更可能である。例えば、厚みＴを薄い構成とすれば、折り畳み構造体４０を形成した際の総厚みを効果的に抑えることができる。好適には、厚みＴは、４ｍｍ程度とすることが望ましい。
また、厚みＴも一定である必要性は必ずしもなく、厚みに大小があるような構成としてもよい。但し、強度を考慮すれば、ちち輪２０の材質をプラスチック樹脂素材とする場合には、厚みＴが一定であることが望ましい。更に好適には、ちち輪２０の材質をプラスチック樹脂素材とする場合には、図２（ｄ）に示すちち輪２０の径方向における垂直断面の形状が円形となるものであることが望ましい。このような構成とすることで、中心点Ｃから外周までの距離をどの方向でも同じ距離とすることができ、様々な方向からの応力負荷にも適応可能で破損し難い、耐久性の高いちち輪２０とすることができる。
【００２６】
次に、図５〜図８を参照して、本発明の実施形態に係るのぼり旗１を折り畳んでなるのぼり旗の折り畳み構造体４０を説明する。
【００２７】
前記のぼり旗の折り畳み構造体４０は、のぼり旗１を所定形状に折り畳むことで形成されるものである。
【００２８】
具体的には図５に示すように、折り畳み構造体４０は、複数のちち輪２０が、支持用ポール３０に対する挿通順に、最初のちち輪２０（図１（ａ）に示す左辺下端に配置されるちち輪２０）から最後のちち輪２０（図１（ａ）に示す上辺右端に配置されるちち輪２０）までこの順番に並んだ状態で重なり、且つ全てのちち輪２０を支持用ポール３０に挿通させてちち輪２０をスライドさせるだけでのぼり旗１が所望の形状に広がる状態にのぼり旗１を折り畳むことで構成されるものである。
また、図５（ａ）に示すように、この折り畳み構造体４０は、包装用袋５０に収納された収納済みの折り畳み構造体４０として、利用者のもとへ届けられる。
【００２９】
このような折り畳み構造体４０は、のぼり旗１を以下のように折り畳むことで形成することができる。
まず、図６（ａ）を参照して、のぼり旗１を広げた状態で、支持用ポール３０に対する挿通順の第１番目のちち輪２０（左辺の下端に配置されるちち輪２０）が、挿通順の第２番目のちち輪２０（左辺の下端から数えて２つ目に配置されるちち輪２０）に重なるようにのぼり旗１を折り曲げ線Ｑを介して谷折りで折り曲げる。この際、２つのちち輪２０の各開口が鉛直方向に重なりを持った状態となるように折り曲げる。
そして、図６（ｂ）に示すように、その状態で、挿通順の第１番目と第２番目のちち輪が、挿通順の第３番目のちち輪２０（左辺の下端から数えて３つ目に配置されるちち輪２０）に重なるようにのぼり旗１を折り曲げ線Ｑを介して山折りで折り曲げる。この際、３３つのちち輪２０の各開口が鉛直方向に重なりを持った状態となるように折り曲げる。
その後、同様にして、第１番目から第６番目までのちち輪２０が挿通順に並んで配置されるようにのぼり旗１を蛇腹折りで折り曲げる。この際、６つのちち輪２０の各開口が鉛直方向に重なりを持った状態となるように折り曲げる。これにより、図７（ａ）に示す状態にのぼり旗１が折り畳まれる。より具体的には、図７（ｂ）に示すように、のぼり旗１が山折りと谷折りが交互に配置される蛇腹形状に折り畳まれた状態となる。
そして、図５（ｂ）に示すように、その状態で、挿通順の第７番目、第８番目がこの順番で配置されるように、のぼり旗１を蛇腹形状に折り曲げる。この際、８つのちち輪２０の各開口が鉛直方向に重なりを持った状態となるように折り曲げる。
【００３０】
以上により、図５（ａ）に示す、支持用ポール３０に対する挿通順に、最初のちち輪２０から最後のちち輪２０までこの順番に各開口が鉛直方向に重なりを持った状態で並んであると共に、全てのちち輪２０を支持用ポール３０に挿通させてちち輪２０をスライドさせるだけでのぼり旗１が所望の形状に広がる状態にのぼり旗１を折り畳んで構成されるのぼり旗の折り畳み構造体４０が形成される。
そして、のぼり旗の折り畳み構造体４０は、包装用袋５０に収納されて利用者に届けられる。
なお、本実施形態においては、支持用ポール３０に対する挿通順の第１番目のちち輪２０（左辺の下端に配置されるちち輪２０）が、挿通順の第２番目のちち輪２０（左辺の下端から数えて２つ目に配置されるちち輪２０）に重なるようにのぼり旗１を折り曲げ線Ｑを介して谷折りで折り曲げ、以降、山折り、谷折りを交互に繰り返して折り畳む構成としたが、必ずしもこのような構成に限るものではない。例えば、挿通順の第１番目のちち輪２０が、挿通順の第２番目のちち輪２０に重なるようにのぼり旗１を折り曲げ線Ｑを介して山折りで折り曲げ、以降、谷折り、山折りを交互に繰り返して折り畳む構成としてもよい。つまり谷折り、山折りが交互に繰り返される蛇腹折りとなるものであれば、最初の折り方向は谷折り、山折りの何れの方向であってもよい。
更に、本実施形態においては、支持用ポール３０に対する挿通順の早いちち輪２０から遅いちち輪２０へといわゆる昇順で折り畳む構成としたが、必ずしもこのような構成に限るものではなく、支持用ポール３０に対する挿通順の遅いちち輪２０から早いちち輪２０へといわゆる降順で折り畳む構成としてもよい。なお、この場合でも、折り畳み構造体４０を形成した状態において、複数のちち輪２０が、支持用ポール３０に対する挿通順に、最初のちち輪２０から最後のちち輪２０までこの順番に並んだ状態で重なることが必要である。
【００３１】
次に、図８を参照して、このような構成からなる折り畳み構造体４０の状態から支持用ポール３０にのぼり旗１を取り付ける際の流れを説明する。
【００３２】
まず、包装用袋５０に収容された状態にある折り畳み構造体４０を、収納袋から取り出す。
次に、挿通順の第１番目のちち輪２０が横用ポール３２の隣に配置されるように、のぼり旗の折り畳み構造体４０を支持用ポール３０の横に配置する。
そして、挿通順に最初のちち輪２０から最後のちち輪２０までこの順番に並んだ状態にある全てのちち輪２０を横用ポール３２に挿通する。
その後、図８（ｂ）に示すように、係止具３２ｂに係止させるちち輪２０（挿通順において第８番目のちち輪２０）を、係止具３２ｂに係止させる。具体的には、上側挟持辺Ｈ１の下方への付勢力に抗して、上側挟持辺Ｈ１を持ち上げ、ちち輪２０を上側挟持辺Ｈ１と下側挟持辺Ｈ２との間に挿入する。この際、本実施形態においては、係止具３２ｂに係止させるちち輪２０の外周形状を、ちち輪２０の一面側から他面側に向かって、ちち輪２０の厚みの中央で交差する一対の直線状の傾斜面２２を備える傾斜形状としてあることから、ちち輪２０の先端を挿入口Ｓに噛み合わせて水平方向にスライドさせることで、容易に上側挟持辺Ｈ１を持ち上げることができ、少ない力でちち輪２０を上側挟持辺Ｈ１と下側挟持辺Ｈ２との間に挿入することができる。
その後、図８（ｂ）に示すように、挿通順の第１番目から第７番目までのちち輪２０を横用ポール３２にそってスライドさせると共に、縦用ポール３２の位置に来た段階で、ちち輪２０を自重により落下させることで、支持用ポール３０に対するのぼり旗１の取り付け作業が完了する。
【００３３】
以上のような構成からなる本発明の実施形態に係るのぼり旗１及びのぼり旗１を折り畳んでなるのぼり旗の折り畳み構造体４０は、以下の効果を奏する。
【００３４】
ちち輪２０を支持用ポール３０の外径（外径に大小がある場合には、最も大きい外径）よりも大きい内径を有する開口した環状体で構成することで、ちち輪２０を支持用ポール３０に挿通させる際に、ちち輪２０の開口を手で広げる必要や手間がなく、複数個のちち輪２０をそのままの状態で支持用ポール３０に挿通させることができる。そして、既述したように、全てのちち輪２０を横用ポール３２に挿通させた後に、挿通順が最終のちち輪２０を係止具３２ｂに係止させると共に、その他のちち輪２０をスライドさせ、且つ縦用ポール３２の位置に来た段階で、ちち輪２０を自重により落下させるだけで、支持用ポール３０に対するのぼり旗１の取り付け作業が完了する。よって、図９に示す既述した従来ののぼり旗２及びのぼり旗の折り畳み構造体５に比べて、設置に要する時間が圧倒的に早く、そして手間なく簡単に設置することができるのぼり旗１とすることができる。このような効果は、のぼり旗１の全長が長ければ長いほど利便性が増すものである。
【００３５】
また、本体布１０は、ちち輪２０を取り付けるための貫通孔１０ａ、１１ａを備え、ちち輪２０は、本体布１０を抜き差し可能な切欠き２１を備え、切欠き２１を介してちち輪２０を貫通孔１０ａ、１１ａに着脱自在に取り付ける構成とすることで、ちち輪２０を容易かつ迅速に本体布１０に取り付けることができる。加えて、本体布１０とちち輪２０とを別工程で製造した後に、ちち輪２０を容易かつ迅速に本体布１０に取り付けることができる。よって、製造効率や製造コストの省コスト化が可能なのぼり旗１とすることができる。また、損傷などによりちち輪２０を交換する必要が生じた場合でも、新しいのぼり旗を使用するのではなく、交換対象となるちち輪２０だけを交換することができ、経済的なのぼり旗１とすることができる。
【００３６】
また、切り欠き２１を、ちち輪２０の軸方向において傾斜させて設ける構成とすることで、風などで本体布１０やちち輪２０が動いた場合でも、ちち輪２０から本体布１０が抜け落ち難い構造とすることができる。よって、設置状態を良好に維持可能なのぼり旗１とすることができる。
【００３７】
また、係止具３２ａは、弾性部材をヘアピン形状に屈曲形成して構成すると共に、係止具３２ａに係止させるちち輪２０の外周形状を、ちち輪２０の一面側から他面側に向かって、ちち輪２０の厚みの中央で交差する一対の直線状の傾斜面２２を備える傾斜形状としてあることで、ちち輪２０の先端を挿入口Ｓに噛み合わせて水平方向にスライドさせることで、容易に上側挟持辺Ｈ１を持ち上げることができ、少ない力でちち輪２０を上側挟持辺Ｈ１と下側挟持辺Ｈ２との間に挿入することができる。よって、一段と簡易且つ迅速に設置が可能なのぼり旗１とすることができる。
【００３８】
また、ちち輪２０の材質として、重量が１２ｇ〜１８ｇのプラスチック樹脂素材を用いる構成とすれば、摩擦係数が小さく、縦用ポール３１、横用ポール３２に沿わせ易いちち輪２０とすることができる。このような効果は、縦用ポール３２に沿ってちち輪２０を自重で落下させる場合に特に重要な効果である。従って、一段と簡易且つ迅速に設置が可能なのぼり旗１とすることができる。また、射出成型などを用いて製造することができ、大量生産が容易で、製造効率や製造コストの効率化が可能なのぼり旗１とすることができる。
加えて、のぼり旗１を支持用ポール３０に取り付けた状態において、のぼり旗１をまくり上げるような風が吹いた場合でも、のぼり旗１がまくり上がることを効果的に防止することができる。
【００３９】
また、支持用ポール３０に対する挿通順に、最初のちち輪２０から最後のちち輪２０までこの順番に各開口が鉛直方向に重なりを持った状態で並んであると共に、全てのちち輪２０を支持用ポール３０に挿通させてちち輪２０をスライドさせるだけでのぼり旗１が所望の形状に広がる状態にのぼり旗１を折り畳んで構成されるのぼり旗の折り畳み構造体４０とすることで、折り畳み状態から即座に、そして短時間で支持用ポール３０に取り付け可能なのぼり旗の折り畳み構造体４０とすることができる。また、支持用ポール３０にのぼり旗１を取り付ける際に、のぼり旗１を広げる必要がないことで、地面にのぼり旗が接触することを確実に防止でき、のぼり旗２が汚れたり、濡れたりすることを防止できる。このような効果は、風の強い日にのぼり旗１を設置する場合に特に有効な効果である。
このように、のぼり旗の設置状況を考慮して、利用者が簡易且つ迅速に支持用ポール３０にのぼり旗１を取り付けることができるように、のぼり旗１を折り畳んでなるのぼり旗の折り畳み構造体４０を発案した点は、従来ののぼり旗においては全くない発明思想であり、本願発明者らが鋭意研究の末に新たに生み出した着想点であると言え、従来技術に対する本願発明の優位な特徴点であるものである。
【００４０】
なお、本発明の実施形態においては、支持用ポール３０に対する挿通順に、最初のちち輪２０から最後のちち輪２０までこの順番に各開口が鉛直方向に重なりを持った状態で並んで折り畳むことでのぼり旗の折り畳み構造体４０を形成する構成としたが、このような構成に加えて、支持用ポール３０に対する挿通順に、最初のちち輪２０から最後のちち輪２０までの各開口の中心点が鉛直方向（ちち輪２０の軸方向）に重なるように折り畳み、その状態が崩れないように、粘着性を有するテープなどを用いて複数個のちち輪２０を一体的に固定するような構成としてもよい。このような構成とすることで、折り畳み状態から一段と即座に、そして短時間で支持用ポール３０に取り付け可能なのぼり旗の折り畳み構造体４０とすることができる。
【００４１】
また、既述した本発明の実施形態に係るのぼり旗１及びのぼり旗の折り畳み構造体４０の構成に加えて、ちち輪２０の構成として、支持用ポール３０に最初に挿通させるちち輪２０だけに異なる色を付す構成としてもよい。このような構成とすることで、のぼり旗の折り畳み構造体４０を支持用ポール３０に挿通する際、最初に通すちち輪２０を認識し易くなり、折り畳み状態から一段と即座に、そして短時間で支持用ポール３０に取り付け可能なのぼり旗の折り畳み構造体４０とすることができる。
【００４２】
また、既述した本発明の実施形態に係るのぼり旗１及びのぼり旗の折り畳み構造体４０の構成に加えて、図７（ｂ）に示すちち輪２０の開口を水平にした状態において、例えば、下半分が赤色で、上半分が白色というように、ちち輪２０の下半分と上半分とで異なる色を付すような構成としてもよい。このような構成とすることで、支持用ポール３０に取り付けたのぼり旗１を一時的に外して保管し、再使用するような場合には、のぼり旗１を折り畳む際にちち輪２０を重ねる方向を認識し易く、作業性が良く、折り畳み順序の間違いが生じ難いのぼり旗１とすることができる。このような意味では、図７（ｂ）に示すちち輪２０の開口を水平にした状態において、全てのちち輪２０の下方に、例えば黒点などの目印を付すような構成としてもよい。
【産業上の利用可能性】
【００４３】
本発明ののぼり旗及びのぼり旗の折り畳み構造体は、簡易且つ迅速にのぼり旗を設置することができることから、のぼり旗の産業分野において有用であり、産業上の利用可能性が大きい。
【符号の説明】
【００４４】
１      のぼり旗
２      のぼり旗
３      本体布
４      ちち輪
４ａ    貫通孔
５      折り畳み構造体
１０    本体布
１０ａ  貫通孔
１１    補強布
１１ａ  貫通孔
２０    ちち輪
２１    切り欠き
２２    傾斜面
３０    支持用ポール
３１    縦用ポール
３１ａ  伸縮具
３２    横用ポール
３２ａ  連結具
３２ｂ  係止具
４０    折り畳み構造体
５０    包装用袋
Ｃ      中心点
Ｈ１    上側挟持辺
Ｈ２    下側挟持辺
Ｑ      折り曲げ線
Ｓ      挿入口
Ｔ      厚み
【要約】
【課題】簡易且つ迅速に設置が可能なのぼり旗及びのぼり旗を折り畳んでなるのぼり旗の折り畳み構造体の提供を課題とする。
【解決手段】矩形状からなる本体布１０の左右何れか一辺の外周縁と、上辺の外周縁とに複数個のちち輪２０を備えるのぼり旗１であって、端部にちち輪２０を係止させる係止具３２ｂを備える逆Ｌ字形状の支持用ポール３０に、複数個のちち輪２０を挿通させると共に、上辺端部に備えるちち輪２０を係止具３２ｂに係止させて固定するものにおいて、ちち輪２０は、支持用ポール３０の外径よりも大きい内径を有する開口した環状体で構成されているのぼり旗１である。
【選択図】      図１【図１】
0006661158.tif 000002
【図２】
0006661158.tif 000003
【図３】
0006661158.tif 000004
【図４】
0006661158.tif 000005
【図５】
0006661158.tif 000006
【図６】
0006661158.tif 000007
【図７】
0006661158.tif 000008
【図８】
0006661158.tif 000009
【図９】
0006661158.tif 000010